(57)【要約】【課題】落下防止機能を具備すると共にケーブルを１本１本確実にクランプできるケーブル固定具を提供する。【解決手段】ケーブル１７に固着されるケーブルクランプ１８と、該ケーブルクランプを介してケーブルを保持するケーブルホルダ１３，２６とから構成され、該ケーブルホルダは周辺部品と共に取付けられ前記ケーブルホルダの高さは少なくとも前記周辺部品の高さより高くなっている。【選択図】　　　　図２
2004087885.tif 000002
【特許請求の範囲】
【請求項１】
ケーブルに固着されるケーブルクランプと、該ケーブルクランプを介してケーブルを保持するケーブルホルダとから構成され、該ケーブルホルダは周辺部品と共に取付けられ前記ケーブルホルダの高さは少なくとも前記周辺部品の高さより高くなっていることを特徴とするケーブル固定具。
【発明の詳細な説明】
【０００１】
【発明の属する技術分野】
本発明は種々の太さのケーブルを確実に保持固定し得、又電源部等重量物が落下した場合のコネクタ等部品の損傷が防止できる様にしたケーブル固定具に関するものである。
【０００２】
【従来の技術】
電子機器、特に据付け式の大型電子機器ではラックに複数のユニットが実装される構造であり、ユニット間の接続に多数のケーブルが用いられる。従って、適宜ケーブルをクランプするケーブル処理が必要となる。又、前記ユニットの中には、電源部等の重量ユニットがあり、重量ユニットの着脱の作業時に自重で落下することも考えられ、落下した場合にコネクタ等の部品を損傷しない様な配慮がなされなければならない。
【０００３】
図３〜図５に於いて、従来の電子機器及びケーブル固定具について説明する。
【０００４】
図中、１はラックであり、該ラック１にはＡユニット２、Ｂユニット３及び電源ユニット４が挿脱可能に設けられており、又前記ラック１には前記各ユニットが載置され、スライド可能なレール１０が設けられている。又、前記Ａユニット２、Ｂユニット３、電源ユニット４は前記ラック１の前端より所要寸法だけ奥まった位置に取付けられており、前記ラック１の底部前端部５が露出している。該底部前端部５には各種コネクタ６が取付けられている。
【０００５】
又、図中、７は前記電子機器中に配線されたケーブル類の一部を示しており、前記電源ユニット４に接続されたケーブル類７は、適宜箇所を合成樹脂製のバンドで束ねられ、前記電源ユニット４の側方から前側を回って前記ラック１の底部前端部５に設けられた布製の配線カバー８より所要の部位へ配線されている。
【０００６】
前記電源ユニット４は構成部品としてトランス等を有する重量物であり、着脱特に取外す場合で、前記電源ユニット４が前記ラック１のレール１０から外れた時に後端が落下する場合がある。この場合、前記底部前端部５には各種コネクタ６が設けられているので、前記電源ユニット４の落下の衝撃で前記コネクタ６が破損する場合がある。
【０００７】
この為、従来の電子機器では前記電源ユニット４の落下防止の為、矩形リング状の落下防止金具９が前記底部前端部５の所要箇所２箇所（図示では前記配線カバー８を挟んだ両側）に固着されている。前記落下防止金具９の高さは、前記レール１０の電源ユニット４を受載する面と略同一の高さとなっており、前記ケーブル類７は前記落下防止金具９を通って前記配線カバー８に導かれている。
【０００８】
【発明が解決しようとする課題】
上記した従来例では、前記ケーブル類７はバンドで束ねられている為、配線経路を変える必要が生じた場合、一旦バンドを切断してバラバラにした後、配線経路が決定した後更に束ねる必要があり、時間が掛り、面倒な作業となっていた。又、前記ケーブル類７は前記落下防止金具９を通って前記配線カバー８に導かれているが、前記落下防止金具９は単に経路を決定するだけの機能しかなく、前記ケーブル類７に外力が作用した場合、束ねられたケーブル類７の一部ケーブルに集中的に負荷が掛ることがあり、切断する虞れもある。
【０００９】
本発明は斯かる実情に鑑み、落下防止機能を具備すると共にケーブルを１本１本確実にクランプできるケーブル固定具を提供するものである。
【００１０】
【課題を解決するための手段】
本発明は、ケーブルに固着されるケーブルクランプと、該ケーブルクランプを介してケーブルを保持するケーブルホルダとから構成され、該ケーブルホルダは周辺部品と共に取付けられ前記ケーブルホルダの高さは少なくとも前記周辺部品の高さより高くなっているケーブル固定具に係るものである。
【００１１】
【発明の実施の形態】
以下、図面を参照しつつ本発明の実施の形態を説明する。
【００１２】
図１中、図３中で示したものと同等のものには同符号を付しその説明を省略する。
【００１３】
ラック１の底部前端部５にコネクタ６等の周辺部品と共に落下防止金具９及びケーブル固定具１１，１２が設けられる。前記落下防止金具９は上記従来例で説明したものと同等であり、電源ユニット４が受載されているレール１０の受載面と略同等の高さを有している。又、前記ケーブル固定具１１，１２は前記落下防止金具９と同一の高さを有し、又前記ケーブル固定具１１とケーブル固定具１２とは同等の構造を有している。
【００１４】
図２を参照して前記ケーブル固定具１２について説明する。尚、前記ケーブル固定具１１については前記ケーブル固定具１２と同等の構造であるので、説明を省略する。又、理解を容易にする為、前記ケーブル固定具１１にはケーブルを省略しており、前記ケーブル固定具１２については１本のケーブルのみを示している。
【００１５】
クランプホルダ１３，１３が所要の間隔を空けて対称的に前記底部前端部５に螺子により固着される。前記クランプホルダ１３は板材がＬ字状に屈曲成形され、中央に上下方向に延びる保持溝１４が穿設され、該保持溝１４は上端が開放されている。該保持溝１４によって分断された立片１５の上端部には外側に向って延出する螺子受部１５ａが形成され、該螺子受部１５ａには螺子孔１６が穿設されている。
【００１６】
図中、１７は前記ケーブル類７の内、１本のケーブルを示しており、該ケーブル１７はケーブルクランプ１８，１８によって上下から挾持されている。
【００１７】
該ケーブルクランプ１８は矩形形状のケーブル当接部１９及び該ケーブル当接部１９の両側から前記ケーブル１７と直交する方向に延出する略Ｔ字状の腕部２１ａ，２１ｂを具備している。該腕部２１ａ，腕部２１ｂは基部に段差が形成され、前記ケーブル当接部１９と前記略Ｔ字状の腕部２１ａ，２１ｂの先端部との間には係合溝２２が形成されている。又、前記ケーブルクランプ１８の一方の略Ｔ字状の腕部２１ａの先端には螺子孔２３が穿設され、前記他方の略Ｔ字状の腕部２１ｂには通孔２４（図示せず）が穿設されている。
【００１８】
上下の前記ケーブルクランプ１８，１８は点対称の配置となっており、相互に前記通孔２４を挿通したボルト２５を前記螺子孔２３に螺合することで、上下の前記ケーブルクランプ１８，１８が螺子止めされ、又前記ボルト２５を適宜な力で締込むことで、前記ケーブルクランプ１８，１８により、前記ケーブル１７を挾持することができる。前記腕部２１ａ，２１ｂの段差は、前記ケーブル１７を挾持する際に前記ケーブルクランプ１８に対する位置決めを容易にしている。尚、前記腕部２１ａ，２１ｂに形成される段差は省略してもよい。
【００１９】
前記ケーブルクランプ１８，１８の上端を覆う略矩形形状のクランプカバー２６の４隅には下方に折下げられた脚片２６ａが形成され、該脚片２６ａは前記螺子受部１５ａと対向し、又前記脚片２６ａには前記螺子孔１６に合致する通孔２７が穿設されている。前記ケーブルクランプ１８に前記クランプカバー２６を固着することで、前記ケーブル１７を前記ケーブルクランプ１８を介して保持するケーブルホルダが構成される。
【００２０】
前記ケーブル１７を固定する場合を、前記ケーブル固定具１２について説明する。
【００２１】
固定するケーブル１７を前記ケーブルクランプ１８によって挾持する。前記ケーブル１７を挾持したケーブルクランプ１８の前記係合溝２２に前記立片１５を嵌合させる。この状態では、前記腕部２１が前記保持溝１４に嵌合した状態であり、前記ケーブルクランプ１８を前記保持溝１４に沿って降下させる。前記ケーブル１７は前記ケーブルクランプ１８を介して前記クランプホルダ１３に保持される。
【００２２】
図示していないが、固定すべき他のケーブル１７を順次前記ケーブルクランプ１８で挾んで前記クランプホルダ１３に嵌合させ、保持したケーブル１７の高さが前記立片１５の高さに達した状態で、前記クランプカバー２６を前記立片１５の先端に被せ、螺子２８により前記脚片２６ａと前記螺子受部１５ａとを固着する。
【００２３】
前記クランプカバー２６を固着することで、前記ケーブル１７は上下方向にも、軸心方向にも１本ずつ固定される。
【００２４】
又、前記ケーブル固定具１１，１２は、前記電源ユニット４が受載されているレール１０の受載面と略同等の高さを有しているので、前記電源ユニット４が前記レール１０から外れた場合、前記電源ユニット４は前記ケーブル固定具１１、ケーブル固定具１２に乗移り、落下することがない。従って、底部前端部５に設けられたコネクタ６等の部品が、前記電源ユニット４等の重量物の落下で損傷することが防止される。
【００２５】
又、前記ケーブル１７を１本１本固定する方法であるので、配線経路を変える必要が生じた場合も簡単に対応が可能であり、又前記ケーブル類７に外力が作用した場合、ケーブル１７は１本１本が個別に支持されているので、一部ケーブルに集中的に負荷が掛ることが防止される。
【００２６】
尚、上記実施の形態で前記ケーブルクランプ１８の腕部２１の形状はＴ字状でなく同じ幅の形状でもよく、或は前記ケーブルクランプ１８が半円状であってもよい等種々変更が可能である。又、前記ケーブル固定具１１、ケーブル固定具１２の高さは損傷が予想される周辺部品の高さ以上あればよい。
【００２７】
【発明の効果】
以上述べた如く本発明によれば、ケーブルに固着されるケーブルクランプと、該ケーブルクランプを介してケーブルを保持するケーブルホルダとから構成され、該ケーブルホルダは周辺部品と共に取付けられ前記ケーブルホルダの高さは少なくとも前記周辺部品の高さより高くなっているので、重量物の落下による部品の損傷を防止できると共にケーブルを１本１本確実にクランプでき、配線経路の変更に容易に対応が可能であり、又ケーブル類に外力が掛った場合でも、ケーブルの一部に過度な力が作用することが防止される等種々の優れた効果を発揮する。
【図面の簡単な説明】
【図１】本発明の実施の形態を示す正面図である。
【図２】図１のＡ部拡大斜視図である。
【図３】従来例の正面図である。
【図４】図３のＢ矢視図である。
【図５】図３のＣ−Ｃ矢視図である。
【符号の説明】
１　　　　　ラック
４　　　　　電源ユニット
５　　　　　底部前端部
６　　　　　コネクタ
７　　　　　ケーブル類
１３　　　　クランプホルダ
１７　　　　ケーブル
１８　　　　ケーブルクランプ
２６　　　　クランプカバー
【図１】
2004087885.tif 000003
【図２】
2004087885.tif 000004
【図３】
2004087885.tif 000005
【図４】
2004087885.tif 000006
【図５】
2004087885.tif 000007